(57)【要約】【課題】  フィルター交換時にフィルター挿入部に配設された複数枚のフィルターのうちの貯留槽側のフィルターを誤って交換するのを防止すること、フィルターの濾過性能を保持できること。【解決手段】  切削液濾過装置は、フィルター挿入部２０に設けられ且つフィルター１０，１１を回収槽側へ弾性付勢する板バネ２４と、フィルター挿入部２０にフィルター１０，１１を配設した状態で、各フィルター１０，１１における貯留槽側の突出部１５が回収槽側の突出部１６よりも上方に位置する４つの突出部１５，１６とを設け、回収槽側のフィルター１１を上方に移動させたとき、フィルター１１の突出部１６の上端が、フィルター１０の突出部１５の下端に当接するように構成した。【選択図】  図６
2009154279.tif 000002
【特許請求の範囲】
【請求項１】
切粉を含んだ切削液が導入される上面開放状の回収槽と、この回収槽に連通接続された貯留槽と、回収槽と貯留槽の間に形成されたフィルター挿入部と、このフィルター挿入部に平行に夫々配設される平板状の複数枚のフィルターとを備えた切削液濾過装置において、
前記フィルター挿入部に設けられ且つ複数枚のフィルターを回収槽側へ弾性付勢するバネ部材と、
前記複数枚のフィルターの両面に夫々形成された複数の突出部であって、前記フィルター挿入部に複数枚のフィルターを配設した状態で、各フィルターにおける貯留槽側の突出部が回収槽側の突出部よりも上方に位置する複数の突出部とを備え、
前記複数枚のフィルターのうちの貯留槽側のフィルターを上方に移動させたとき、貯留槽側のフィルターにおける回収槽側の突出部が、このフィルターに対して回収槽側に隣接するフィルターにおける貯留槽側の突出部に当接するように構成されたことを特徴とする切削液濾過装置。
【請求項２】
前記複数枚のフィルターのうちの回収槽側のフィルターを上方に引き抜いたとき、バネ部材の弾性付勢によって貯留槽側のフィルターが回収槽側に移動するように構成されたことを特徴とする請求項１に記載の切削液濾過装置。
【請求項３】
前記複数の突出部の下端部には、案内用のテーパ面が形成されたことを特徴とする請求項１又は２に記載の切削液濾過装置。
【請求項４】
前記バネ部材は板バネであり、この板バネは下方へ行く程回収槽側に移行するように設けられたことを特徴とする請求項１〜３の何れかに記載の切削液濾過装置。
【発明の詳細な説明】
【技術分野】
【０００１】
本発明は、回収槽と貯留槽とフィルター挿入部と複数枚のフィルターとを備えた切削液濾過装置において、特にフィルター交換時に誤って複数枚のフィルターのうちの貯留槽側のフィルターを交換するのを防止できるように構成したものに関する。
【背景技術】
【０００２】
一般に、工作機械において切削加工を行う際、金属製のワークの切削部位に切削液を供給しながら工具により切削を行い、切削時に摩擦熱で加熱される工具を冷却することで、工具の寿命やワークの加工精度を向上させている。切削加工で使用された切削液には、切削加工の際に生じた金属からなる切粉などの異物が含まれるため、切削後の切削液を切削液濾過装置に回収し、この装置内で切削液を濾過し切削液中に含まれる切粉を分離除去した後、工作機械に循環供給している。
【０００３】
例えば、特許文献１に記載の切削液ろ過装置においては、切粉を含んだ切削液が流入する上下開口状の漏斗部材と、漏斗部材が上面側の開口穴に装着され漏斗部材より切粉を含んだ切削液が流入する切削液タンクとを備えた装置が開示されている。切削液タンクの左右両端部分に１枚の金網状のフィルターを夫々設けて切削液タンクを仕切ることにより、切削液タンク内に切粉回収部（回収槽に相当）と切削液貯留部（貯留槽に相当）が形成されている。
【０００４】
漏斗部材を介して切削液タンク内に導入された切削液が、切粉回収部の流体通路を流動する間に、切削液中に含まれる切粉の一部が沈殿する。この切削液が流体通路を流動した後、フィルターを通って切削液貯留部に流れ込むようになっている。切削液がフィルターを通過する際、切削液中に含まれる残りの切粉が分離されて切削液が濾過処理される。
【特許文献１】特許第３９５２１６０号公報
【発明の開示】
【発明が解決しようとする課題】
【０００５】
特許文献１の装置では、フィルターの濾過性能を保持する為に定期的にフィルターの清掃を行う必要がある。この場合、装置の運転を停止させた後フィルターの清掃を行うが、作業効率を向上させる為、回収槽と１対の貯留槽の間に形成した１対のフィルター挿入部に２枚のフィルターを夫々配設しておき、装置の運転中にフィルター交換を行って、取外したフィルターの清掃を行えるようにした装置が実用に供されている。
【０００６】
このような装置では、主にフィルター挿入部に配設された２枚のフィルターのうちの回収槽側のフィルターにより切削液に対する濾過処理が行われるため、先に回収槽側のフィルター交換を行う。回収槽側の汚れたフィルターを引き抜いて清掃している間、フィルター挿入部に配設された残りのフィルターで切削液を濾過する。フィルターを清掃した後、清掃後のフィルターをフィルター挿入部の貯留槽側に夫々挿入してフィルター交換を完了する。
【０００７】
しかし、フィルター交換時に誤って貯留槽側のフィルターを引き抜いてしまい、貯留槽側のフィルターのみを交換した場合、この状態で装置の運転を継続すると、回収槽側のフィルターが目詰まりし切削液が貯留槽へ導出されなくなる虞がある。
【０００８】
本発明の目的は、切削液濾過装置において、フィルター交換時にフィルター挿入部に配設された複数枚のフィルターのうちの貯留槽側のフィルターを誤って交換するのを防止すること、フィルターの濾過性能を保持できること、等である。
【課題を解決するための手段】
【０００９】
請求項１の切削液濾過装置は、切粉を含んだ切削液が導入される上面開放状の回収槽と、この回収槽に連通接続された貯留槽と、回収槽と貯留槽の間に形成されたフィルター挿入部と、このフィルター挿入部に平行に夫々配設される平板状の複数枚のフィルターとを備えた切削液濾過装置において、前記フィルター挿入部に設けられ且つ複数枚のフィルターを回収槽側へ弾性付勢するバネ部材と、前記複数枚のフィルターの両面に夫々形成された複数の突出部であって、前記フィルター挿入部に複数枚のフィルターを配設した状態で、各フィルターにおける貯留槽側の突出部が回収槽側の突出部よりも上方に位置する複数の突出部とを備え、前記複数枚のフィルターのうちの貯留槽側のフィルターを上方に移動させたとき、貯留槽側のフィルターにおける回収槽側の突出部が、このフィルターに対して回収槽側に隣接するフィルターにおける貯留槽側の突出部に当接するように構成されたことを特徴とする。
【００１０】
この切削液濾過装置では、複数枚のフィルターを回収槽側へ弾性付勢するバネ部材がフィルター挿入部に設けられ、複数枚のフィルターの両面には複数の突出部が夫々形成されている。複数の突出部は、フィルター挿入部に複数枚のフィルターを配設した状態で、各フィルターにおける貯留槽側の突出部が回収槽側の突出部よりも上方に位置するように形成されている。
【００１１】
フィルター交換時に誤って貯留槽側のフィルターを引き抜こうとした場合、貯留槽側のフィルターにおける回収槽側の突出部が、このフィルターに対して回収槽側に隣接するフィルターにおける貯留槽側の突出部に当接するため、貯留槽側のフィルターの上方への移動が制限される。これにより、貯留槽側のフィルター交換を防止することができる。
【００１２】
請求項２の切削液濾過装置は、請求項１の発明において、前記複数枚のフィルターのうちの回収槽側のフィルターを上方に引き抜いたとき、バネ部材の弾性付勢によって貯留槽側のフィルターが回収槽側に移動するように構成されたことを特徴とする。
【００１３】
請求項３の切削液濾過装置は、請求項１又は２の発明において、前記複数の突出部の下端部には、案内用のテーパ面が形成されたことを特徴とする。
【００１４】
請求項４の切削液濾過装置は、請求項１〜３の何れかの発明において、前記バネ部材は板バネであり、この板バネは下方へ行く程回収槽側に移行するように設けられたことを特徴とする。
【発明の効果】
【００１５】
請求項１の発明によれば、バネ部材と、複数の突出部とを備え、複数枚のフィルターのうちの貯留槽側のフィルターを上方に移動させたとき、貯留槽側のフィルターにおける回収槽側の突出部が、このフィルターに対して回収槽側に隣接するフィルターにおける貯留槽側の突出部に当接するように構成されたので、フィルター交換時に誤って貯留槽側のフィルターを引き抜こうとした場合、貯留槽側のフィルターにおける回収槽側の突出部が、このフィルターに対して回収槽側に隣接するフィルターにおける貯留槽側の突出部に当接することで、貯留槽側のフィルターの上方への移動が制限され、貯留槽側のフィルターの引き抜きを防止することができる。
【００１６】
これにより、回収槽側のフィルター交換を確実に行うことができるので、フィルターの濾過性能を保持することができる。しかも、バネ部材の弾性付勢力によって複数枚のフィルターが回収槽側へ押圧されるので、フィルターがガタつくことなくその位置を保持することができ、フィルターの濾過性能を発揮させることができる。
【００１７】
請求項２の発明によれば、複数枚のフィルターのうちの回収槽側のフィルターを上方に引き抜いたとき、バネ部材の弾性付勢によって貯留槽側のフィルターが回収槽側に移動するように構成されたので、清掃後のフィルターを貯留槽側に円滑に挿入することができ、フィルターのローテーションを確実に行うことができる。
【００１８】
請求項３の発明によれば、複数の突出部の下端部には、案内用のテーパ面が形成されたので、清掃後のフィルターをフィルター挿入部に円滑に挿入することができ、フィルター交換を効率的に行うことができる。
【００１９】
請求項４の発明によれば、バネ部材は板バネであり、この板バネは下方へ行く程回収槽側に移行するように設けられたので、フィルター交換時に貯留槽側のフィルターを引き抜こうとした場合、貯留槽側のフィルターにおける貯留槽側の突出部が板バネの下端に当接し、貯留槽側のフィルターに対する引き抜き防止効果を格段に高めることができる。しかも、簡単な部材で安価に製作できる。
【発明を実施するための最良の形態】
【００２０】
以下、本発明を実施する為の最良の形態について説明する。
【実施例】
【００２１】
以下、本発明の実施例について図面に基づいて説明する。
図１、図３に示すように、切削液濾過装置１は、上面の一部を開口したほぼ箱状の切削液タンク２と、切削液を濾過する為の平板状の２枚のフィルター１０，１１と、２枚のフィルター１０，１１を回収槽側へ弾性付勢する板バネ２４（バネ部材）と、２枚のフィルター１０，１１で濾過された切削液を工作機械に循環供給する為のポンプ６，７とを備えている。
【００２２】
切削液タンク２には、切粉を含んだ切削液が導入される上面開放状の回収槽３と、回収槽３に連通接続された２つの貯留槽４，５が設けられている。切削液タンク２内において回収槽３と貯留槽４，５の間にはフィルター挿入部２０，２１が夫々形成され、左側のフィルター挿入部２０には、金網状の２枚のフィルター１０，１１が平行に配設されている。切削液タンク２において４つの角部の近傍には、切削液濾過装置１を移動させる為の４つのキャスター８が設けられている。
【００２３】
回収槽３の左側の貯留槽４には２つのポンプ６，７が設けられ、貯留槽４には、２枚のフィルター１０，１１によって清浄化された切削液が、ポンプ６，７の作動により工作機械に供給される。尚、本実施例においては、左側の貯留槽４にのみ切削液が導出される構成となっているが、右側のフィルター挿入部２１に２枚のフィルター１０，１１を配設し且つ右側の貯留槽５に２つのポンプ６，７を設けて、右側の貯留槽５にも切削液が導出される構成であってもよい。
【００２４】
次に、フィルター１０，１１について説明する。
本実施例においては、図１に示すように、フィルター挿入部２０において回収槽側にフィルター１０が配設され、フィルター挿入部２０において貯留槽側にフィルター１１が配設されている。フィルター１０，１１は、取っ手１３，１４の位置を除いてほぼ同じ構成であるので、フィルター１０について説明する。
【００２５】
図１、図２に示すように、フィルター１０は平面視にて矩形状に形成され、このフィルター１０は、金属製のほぼ矩形状の枠部１２と、枠部１２に組み込まれ多数の微細孔が形成された金属製のメッシュ部１７と、枠部１２の両面に夫々形成された４つの突出部１５，１６とを有する。
【００２６】
枠部１２は、鉛直面内に位置する４つの枠辺１２ａ〜１２ｄを有する。上側の枠辺１２ａには、取っ手１３，１４が夫々形成されている。前後の枠辺１２ｂ，１２ｃの中段部よりもやや下側には、左方に突出する突出部１５が夫々形成され、前後の枠辺１２ｂ，１２ｃの下端部には、右方に突出する突出部１６が夫々形成されている。これら４つの突出部１５，１６の下端部には、フィルター挿入部２０にフィルター１０，１１を挿入する際の案内用のテーパ面が夫々形成されている。
【００２７】
図３、図４に示すように、切削液タンク２内の左右両端寄り部位にはフィルター挿入部２０，２１が夫々形成され、これらフィルター挿入部２０，２１は、切削液タンク２内の左右両端寄り部位において、僅かの間隔をあけて平行に配設された門型の２つの支持部材２２，２３の間に夫々形成されている。貯留槽側の支持部材２２において、２本の脚部２２ａの上端を連結する連結部２２ｂの前端部と後端部には、１対の板バネ２４が夫々設けられている。
【００２８】
図５、図６に示すように、１対の板バネ２４は、下方へ行く程右方（回収槽側）に移行するように設けられ、１対の板バネ２４の下端部が、フィルター１１の中段部に夫々当接している。１対の板バネ２４の弾性付勢によりフィルター１０，１１が右側に押圧されており、フィルター１０を上方に引き抜いたとき、図７、図８に示すように、フィルター１１が右側に移動する。
【００２９】
図６に示すように、フィルター１０，１１は、フィルター挿入部２０に配設した状態で、各フィルター１０，１１における左側（貯留槽側）の突出部１５が右側（回収槽側）の突出部１６よりも上方に位置する。フィルター１１を上方に引き抜こうとしてフィルター１１を上方に移動させたとき、フィルター１１の突出部１６の上端が、フィルター１０の突出部１５の下端に当接すると共に、板バネ２４の下端がフィルター１１の突出部１５の上端に当接する。その結果、フィルター１１の上方への移動が制限される。
【００３０】
次に、切削液濾過装置１の作用、効果について説明する。
図５、図６に示すように、フィルター交換を行う際、誤って貯留槽側のフィルター１１を引き抜こうとした場合、フィルター１１の突出部１６の上端が、フィルター１０の突出部１５の下端に当接すると共に、板バネ２４の下端がフィルター１１の突出部１５の上端に当接するため、フィルター１１の上方への移動が制限される。これにより、フィルター１１の引き抜きを防止することができる。
【００３１】
回収槽側のフィルター１０を引き抜いた場合、１対の板バネ２４の弾性付勢によりフィルター１１が右方（回収槽側）に移動しその位置が保持される。引き抜いたフィルター１０の清掃後、フィルター１０をフィルター挿入部２０においてフィルター１１の左側（貯留槽側）に挿入してフィルター交換を完了する。
【００３２】
このように、板バネ２４と、４つの突出部１５，１６とを備え、貯留槽側のフィルター１１を上方に移動させたとき、このフィルター１１に対して回収槽側に隣接するフィルター１０の突出部１５が、フィルター１１の突出部１６に当接するように構成されたので、フィルター交換時に誤って貯留槽側のフィルター１１を引き抜こうとした場合、フィルター１１の突出部１６の上端が、フィルター１０の突出部１５の下端に当接することで、フィルター１１の上方への移動が制限され、フィルター１１の引き抜きを防止することができる。
【００３３】
これにより、回収槽側のフィルター交換を確実に行うことができるので、フィルター１０，１１の濾過性能を保持することができる。しかも、１対の板バネ２４の弾性付勢力によって２枚のフィルター１０，１１が回収槽側へ押圧されるので、フィルター１０，１１がガタつくことなくその位置を保持することができ、フィルター１０，１１の濾過性能を発揮させることができる。
【００３４】
回収槽側のフィルター１０を上方に引き抜いたとき、板バネ２４の弾性付勢によって貯留槽側のフィルター１１が回収槽側に移動するように構成されたので、清掃後のフィルター１０を貯留槽側に円滑に挿入することができ、フィルター１０，１１のローテーションを確実に行うことができる。４つの突出部１５，１６の下端部には、案内用のテーパ面が形成されたので、清掃後のフィルター１０をフィルター挿入部２０に円滑に挿入することができ、フィルター交換を効率的に行うことができる。
【００３５】
板バネ２４は下方へ行く程回収槽側に移行するように設けられたので、フィルター交換時に貯留槽側のフィルター１１を引き抜こうとした場合、フィルター１１の突出部１５が板バネ２４の下端に当接し、フィルター１１に対する引き抜き防止効果を格段に高めることができる。しかも、簡単な部材で安価に製作できる。
【００３６】
次に、前記実施例を部分的に変更した変更例について説明する。
１］３枚以上のフィルターをフィルター挿入部２０に配設する場合にも、適用することが可能である。
２］板バネ２４の枚数は適宜変更することが可能であり、また、バネ部材としてはコイルバネ等、板バネ以外の他のバネを適用してもよい。
３］フィルター１０，１１の突出部１５，１６をフィルター１０，１１と別体で構成し、突出部１５，１６を着脱式にすることも可能である。
４］突出部１５の下端部の案内用のテーパ面をなくしてもよい。
【図面の簡単な説明】
【００３７】
【図１】本発明の実施例に係る切削液濾過装置の斜視図である。
【図２】回収槽側のフィルターの貯留槽側から視た斜視図である。
【図３】フィルターを取外した状態の切削液濾過装置の斜視図である。
【図４】図３の要部拡大図である。
【図５】ポンプを取外した状態の切削液濾過装置の平面図である。
【図６】図５のVI-VI 線断面図である。
【図７】図５において回収槽側のフィルターを引き抜いた状態の切削液濾過装置の平面図である。
【図８】図７のVIII-VIII 線断面図である。
【符号の説明】
【００３８】
１        切削液濾過装置
３        回収槽
４，５    貯留槽
１０，１１  フィルター
１５，１６  突出部
２０，２１  フィルター挿入部
２４      板バネ
【図１】
2009154279.tif 000003
【図２】
2009154279.tif 000004
【図３】
2009154279.tif 000005
【図４】
2009154279.tif 000006
【図５】
2009154279.tif 000007
【図６】
2009154279.tif 000008
【図７】
2009154279.tif 000009
【図８】
2009154279.tif 000010